(57)【要約】【課題】  従来の爪切りでは刃が大中小程度の物であって、爪を切る時に指１本に対し数回にかけ爪を切る動作が必要となり、手間が掛かり形を整えて要るうちに切り過ぎて深爪などの原因にもなるし、目の悪い高齢者や人手を借りなくてはならない子供、面倒さがりやな人などには容易で無い。【解決手段】  ワンタッチで１本の指の爪が切れて形を整える為、何度も切る手間をはぶき面倒さがりやな人はもちろん子供から高齢者まで簡単に使用できて、しかも綺麗に仕上がり、安全ガードで深爪も防止する事が出来るもので爪カスが周りに飛び散らないよう防止し下の受け皿にまとめる事が出来る。【選択図】  図２
2005046567.tif 000002
【特許請求の範囲】
【請求項１】
本体には爪型に型取られ断面が曲線になった刃を刃幅や刃型を変えタイプ別に複数並べて設置し、テコの原理を利用して一度押すと刃に働く力に余って一回で爪が切れる爪切り。
【請求項２】
下面部に設けた受け皿に切った爪が溜まるようにした請求項１に記載の爪切り。
【請求項３】
曲線部にやすりを設ける事で、丸みを帯びた爪を削りやすくした請求項１又は２に記載の爪切り。
【請求項４】
刃と外枠を一体的にし本体に対して相対的に回転可能にして、切り口に合わせ複数並んだ刃や本体を回転させて、刃の選択が出来る請求項１から３いずれか一に記載の爪切り。
【発明の詳細な説明】
【技術分野】
【０００１】  本発明は、ワンタッチで爪が切れ綺麗に仕上がる一般家庭の爪切りに関する
【背景技術】
【０００２】  従来の爪切りでは刃が大中小程度の物であって、爪を切る時に指１本に対し数回にかけ爪を切る動作が必要となり、手間が掛り形を整えて要るうちに切り過ぎて深爪などの原因にもなる。
【特許文献１】  特開２００３−５２４４４号（代表図面）
【発明の開示】
【発明が解決しようとする課題】
【０００３】  以上に述べた従来の爪切りは、１本の指の爪を数回に掛けて切る必要があり手間が掛り、形を整えて要るうちに切り過ぎて深爪などもする。【０００４】  特に、目の悪い高齢者や人手をかりなくてはならない子供、面倒くさがりやな人などには容易ではない。【０００５】  本発明は、このような従来の爪切りの手間や不快感などの問題を解決しようとするものであり、一回で切れて、しかも綺麗な仕上がりと深爪防止を目的とするものである。
【課題を解決するための手段】
【０００６】  請求項１に記載の爪切りは、本体に、爪型に型取られ断面が曲線になった刃を刃幅や刃型を変えタイプ別に複数並べて設置し、テコの原理を利用して一度押すと刃に働く力に余って一回で爪がきれるようにしたものである。本発明によれば、上記目的を達成するためにワンタッチで１本の指の爪が切れて形を整える為に何度も切る手間をはぶき、面倒くさがりやな人はもちろん子供から高齢者まで簡単に使用できて、しかも綺麗に仕上がり、安全ガードで深爪も防止する事が出来る。【０００７】  請求項２に記載の爪切りは、請求項１に記載の爪切りにおいて、爪カスが周りに飛び散らず下面部に設けた受け皿に溜まるようにしたものである。
本発明によれば、爪カスが受け皿に溜まるので、爪切り後の掃除を簡単に行うことが出来る。【０００８】  請求項３に記載の爪切りは、請求項１又は２に記載の爪切りにおいて曲線部にやすりを設ける事で、丸みを帯びた爪を削りやすくしたものである。
本発明によれば、曲線部のやすりにより爪を削ることができるので、爪先の凹凸をなくすことが出来る。例えば本体やアーム部分など【０００９】  請求項４に記載の爪切りは、請求項１から３いずれか一に記載の爪切りにおいて、本体、刃、外枠が一体で回転可能もしくは、刃と外枠だけ回転可能に構成され、複数並んだ刃を回転させて選択する事が出来るように構成したものである。本発明によれば、本体や刃を回転させることで刃を選択できるので、最適な刃の選択を簡単に行うことが出来る。
【発明の効果】
【００１０】  上述したように本発明の爪切りはワンタッチで爪が切れて、子供から高齢者まで簡単に使用でき、しかも綺麗な形状に爪が切れ仕上がる。
好みに合わせて爪の長さや爪幅の形状を選択出来るもので、爪型の刃はタイプ別に、角ばった形や丸み帯びた形と好みに応じて選択でき、爪カスはまとまりまた深爪も防止できる手間の掛からない爪切りを提供できる。
【発明を実施するための最良の形態】
【００１１】  以下、本発明の形態を図１〜図４に基づいて説明する。【００１２】  図１は平面図である。このワンタッチ爪切りは爪型に型取られ断面が曲線になった刃を刃幅や刃型を変えタイプ別に複数並べて設置し、テコの原理を利用して一度押すと刃に働く力に余って一回で爪が切れる爪切りである。
図１において、Ｔ１は切り口で安全を考慮した上、爪が入る程度の隙間に構成される。また切り口には爪を入れやすくし、切る際に爪が平らにならない用刃と同様曲線に構成されている。【００１３】  図２において、Ｔ２は各切り口に装備された深爪防止ガードで、爪幅に合わせてタイプ別に切り口に爪を入れて指を軽く深爪防止ガードに合わせセットする。【００１４】  また、切り口付近や爪受け皿などに透明色の素材を用いる事で爪と刃の距離や爪カスの量など目で確認できる。【００１５】  Ｔ２の深爪防止ガードに弾力性を持つ素材を利用する事で、さまざまな指の形を安定させると共に爪の生え際の高さなどもセットした後に、微調整できる構成になる。【００１６】  図２のＴＡを軽く押すとテコの原理によりアームと本体をつなぐＴＴが支点となり本体内部にあるＴＤの内側のＴＢ上部ＴＦが作用点となり働く力が下がりワンタッチで刃の形状に綺麗に爪が切れて、子供から目の悪い高齢者まで手軽に簡単に使用する事が可能またＴＡが押され、それを戻す為にＴＥの戻る力が働き、スムーズにＴＡが戻る構成。【００１７】  図３は刃と外枠を一体的にし本体に対して相対的に回転可能にして、切口に合わせ複数並んだ刃や本体を回転させて刃の選択が出来る物である。
図３のＴＫは刃の形状を丸み帯びた形から角張った形にした替え刃である。好みによって選ぶことが出来る。図１のタイプ１と図４のタイプ３も同様に替え刃可能【００１８】  図１のＴ１は深爪防止ガードを装備した切り口で、Ｔ２に指を合わせて爪を切ると爪が短く仕上がり、切り口から指を離して切れば爪が長く仕上がるように調整出来る。【００１９】  切れた爪カスは周りに飛び散らず下に落ち受け皿に溜まり、受け皿を外しゴミ箱へ（図２、Ｔ３）【００２０】  図２のＴＣは、ＴＡの曲線部に設けられたヤスリで、丸み帯びた爪の手入れ用に最適。【００２１】  図３のタイプ２  Ａ，Ｂ，Ｃ，Ｄでは本体、刃、外枠が一体となり回転可能であり内部で接続されたＴＡとＴＡ’を持ち本体を回転させて複数並んだ刃幅の異なる刃を選択し爪を切る。【００２２】  図３のタイプ２  Ｅ，Ｆ，Ｇ，Ｈは刃と外枠を回転可能にした物で複数並んだ刃幅の異なる刃を切り口に合わせ選択して爪を切る。
図１のタイプ１と図４のタイプ３は固定式の物。
【図面の簡単な説明】
【００２３】
【図１】図１はタイプ１の爪切りである  Ａ−Ａは本体上面図である  Ｂ−Ｂは本体断面図である  Ｃ−Ｃは刃の下面図である  Ｄ−Ｄは切り口正面図である
【図２】図２は拡大図である
【図３】図３はタイプ２で回転式の爪切りである  Ａ−Ａは本体上面図である  Ｂ−Ｂは本体断面図である  Ｃ−Ｃは刃の下面図である  Ｄ−Ｄは切り口正面図である  Ｅ−Ｅは本体上面図である  Ｆ−Ｆは本体断面図である  Ｇ−Ｇは刃の下面図である  Ｈ−Ｈは切り口正面図である
【図４】図４はタイプ３の爪切りである  Ａ−Ａは本体上面図である  Ｂ−Ｂは本体断面図である  Ｃ−Ｃは刃の下面図である  Ｄ−Ｄは切り口正面図である
【符号の説明】
【００２４】Ｔ１    切り口
Ｔ２    深爪防止ガード
ＴＡ    上アーム
ＴＡ’  下アーム
ＴＢ    刃
ＴＫ    替え刃
Ｔ３    爪受け皿
ＴＣ    曲がりヤスリ
ＴＤ    刃を囲む外枠
ＴＥ    弾力性のあるもの
ＴＴ    支点
ＴＦ    作用点
【図１】
2005046567.tif 000003
【図２】
2005046567.tif 000004
【図３】
2005046567.tif 000005
【図３】
2005046567.tif 000006
【図４】
2005046567.tif 000007
【手続補正書】
【提出日】平成15年10月29日(2003.10.29)
【手続補正２】
【補正対象書類名】図面
【補正対象項目名】全図
【補正方法】変更
【補正の内容】
【図１】
2005046567.tif 000008
【図２】
2005046567.tif 000009
【図３−Ａ】
2005046567.tif 000010
【図３−Ｂ】
2005046567.tif 000011
【図４】
2005046567.tif 000012